(57)【要約】【課題】ファンモータユニットの位置決めが容易で、ファンとファンモータユニットとの軸芯合わせの精度が向上する空調室内機を提供する。【解決手段】空調室内機２は、ファン７１の回転によって室内熱交換器５０で熱交換された空気が室内へ吹き出される空調室内機であって、支持枠７８と、室内ファンモータユニット７２とを備えている。支持枠７８は、ファン７１の背面側および下方を囲む。室内ファンモータユニット７２は、ファン７１を回転させる。そして、室内ファンモータユニット７２は、外周に３つの位置決め部７３６，７３７，７３８を有し、支持枠７８は、３つの位置決め部７３６，７３７，７３８がそれぞれ差し込まれる３つの差込部７８２，７８３，７８４を有する。【選択図】図８
2008089196.tif 000002
【特許請求の範囲】
【請求項１】
ファン（７１）の回転によって室内熱交換器（５０）で熱交換された空気が室内へ吹き出される空調室内機であって、
前記ファン（７１）の背面側および下方を囲む支持枠（７８）と、
前記ファン（７１）を回転させるファンモータユニット（７２）と、
を備え、
前記ファンモータユニット（７２）は、外周に３つの位置決め部（７３６，７３７，７３８）を有し、
前記支持枠（７８）は、３つの前記位置決め部（７３６，７３７，７３８）がそれぞれ差し込まれる３つの差込部（７８２，７８３，７８４）を有する、
空調室内機（２）。
【請求項２】
３つの前記位置決め部（７３６，７３７，７３８）の内の１つの前記位置決め部（７３６）が、３つの前記差込部（７８２，７８３，７８４）の内の１つの前記差込部（７８２）にネジ止めされる、
請求項１に記載の空調室内機（２）。
【請求項３】
前記ファンモータユニット（７２）の３つの前記位置決め部（７３６，７３７，７３８）のうち、少なくとも１つの前記位置決め部は、前記ファンモータユニット（７２）の外周の接線方向に貫通する穴を有する穴付位置決め部（７３６）であり、
前記支持枠（７８）の３つの前記差込部（７８２，７８３，７８４）のうち、少なくとも１つの前記差込部は、前記穴付位置決め部（７３６）が差し込まれる柱状差込部（７８２）であり、
前記穴付位置決め部（７３６）を除く２つの位置決め部（７３７，７３８）が、前記柱状差込部（７８２）を除く２つの差込部（７８３，７８４）に差込まれた後に、前記穴付位置決め部（７３６）が前記柱状差込部（７８２）に差込まれる、
請求項１に記載の空調室内機（２）。
【請求項４】
前記ファンモータユニット（７２）は、前記ファン（７１）の回転軸（７１２）に固定され磁力の作用で回転する回転子（７１９）と、前記回転軸（７１２）を支持し前記回転子（７１９）に磁力を作用させる固定子（７２１）と、内側は前記固定子（７２１）を収納し外側は前記支持枠（７８）に支持される固定子ハウジング（７３１）とを有し、
前記３つの位置決め部（７３６，７３７，７３８）は、前記固定子ハウジング（７３１）の外周に設けられている、
請求項１に記載の空調室内機（２）。
【請求項５】
前記固定子ハウジング（７３１）は、両端が開口した筒状を成し内側に前記固定子（７２１）を収納する固定子ケース（７３２）と、前記固定子ケース（７３２）に収納された前記固定子（７２１）の一端を覆う固定子カバー（７３９）とから成り、
３つの前記位置決め部（７３６，７３７，７３８）が、前記固定子ケース（７３２）上に配置されている、
請求項４に記載の空調室内機（２）。
【請求項６】
前記固定子（７２１）と前記固定子カバー（７３９）とは、前記固定子ケース（７３２）に対して軸方向に着脱される、
請求項５に記載の空調室内機（２）。
【請求項７】
前記固定子ケース（７３２）は、前記固定子カバー（７３９）で覆われる側の端部の外周面上に爪穴（７３２ｄ，７３２ｅ）を有し、
前記固定子カバー（７３９）は、前記固定子ケース（７３２）の軸とほぼ並行に延びる片持ち梁状の連結爪（７３９ｄ，７３９ｅ）を有し、
前記固定子カバー（７３９）を前記固定子ケース（７３２）に前記軸方向に沿って挿入したとき、前記爪穴（７３２ｄ，７３２ｅ）と前記連結爪（７３９ｄ，７３９ｅ）とが互いに引っ掛かり合う、
請求項５に記載の空調室内機（２）。
【請求項８】
前記固定子ケース（７３２）の外周面を、前記支持枠（７８）とで挟むよう保持する外周保持板（８１）をさらに備え、
前記固定子ケース（７３２）の外周面には、前記外周面から所定高さだけ隆起した凸壁（７３２ａ）が前記外周面に沿って設けられており、
前記凸壁（７３２ａ）が、前記固定子ケース（７３２）と前記支持枠（７８）との間の隙間、および前記固定子ケース（７３２）と外周保持板（８１）との隙間を塞いでいる、
請求項５に記載の空調室内機（２）。
【発明の詳細な説明】
【技術分野】
【０００１】
本発明は、ファンの回転によって室内熱交換器で熱交換された空気が室内へ吹き出される空調室内機に関する。
【背景技術】
【０００２】
従来、空調室内機では、ファンを回転させるファンモータユニットを支持する手段として、ファンモータユニットの外周の大半を、予め空調室内機の支持枠に設けられた溝あるいは穴に埋没させており、結果的にファンモータユニットをその外周全体で位置決めする構造となっている。（例えば、特許文献１参照）。
【特許文献１】実公平６−４０９５２号公報
【発明の開示】
【発明が解決しようとする課題】
【０００３】
ところが、特許文献１に記載のファンモータユニットは、ファンの回転軸とモータの回転軸とが連結された状態で、ファンモータユニットの外周が支持枠に位置決めされるので、ファンとの軸芯合わせが難しい上に作業性も悪く製造コスト高騰の要因となっていた。
【０００４】
本発明の課題は、ファンモータユニットの位置決めが容易で、ファンとファンモータユニットとの軸芯合わせの精度が向上する空調室内機を提供することにある。
【課題を解決するための手段】
【０００５】
第１発明に係る空調室内機は、ファンの回転によって室内熱交換器で熱交換された空気が室内へ吹き出される空調室内機であって、支持枠と、ファンモータユニットとを備えている。支持枠は、ファンの背面側および下方を囲む。ファンモータユニットは、ファンを回転させる。そして、ファンモータユニットは、外周に３つの位置決め部を有し、支持枠は、３つの位置決め部がそれぞれ差し込まれる３つの差込部を有する。
【０００６】
この空調室内機では、ファンモータユニットが支持枠に３点で位置決めされる構造となっているので、ファンモータユニットの姿勢を歪める要因がなく、ファンの回転軸方向、水平軸方向および鉛直軸方向の位置ずれが抑制される。このため、ファンとファンモータユニットとの同軸度の精度が上がり、作業性も向上する。
【０００７】
第２発明に係る空調室内機は、第１発明に係る空調室内機であって、３つの位置決め部の内の１つの位置決め部が、３つの差込部の内の１つの差込部にネジ止めされる。
【０００８】
この空調室内機では、１つの位置決め部がネジ止めされても、他の２つの位置決め部が固定されていないので、ネジ止め時に発生する応力が緩和され易い。このため、応力による変形、位置ずれが抑制される。
【０００９】
第３発明に係る空調室内機は、第１発明に係る空調室内機であって、ファンモータユニットの３つの位置決め部のうち、少なくとも１つの位置決め部は、ファンモータユニットの外周の接線方向に貫通する穴を有する穴付位置決め部である。また、支持枠の３つの差込部のうち、少なくとも１つの差込部は、穴付位置決め部が差し込まれる柱状差込部である。そして、穴付位置決め部を除く２つの位置決め部が、柱状差込部を除く２つの差込部に差込まれた後に、穴付位置決め部が柱状差込部に差し込まれる。
【００１０】
この空調室内機では、他の２つの位置決め部が、対応する他の２つの差込部に正確に差込まれなければ、穴付位置決め部が柱状差込部に差し込まれない。このため、穴付位置決め部が柱状差込部に差込まれるまで全ての位置決めが完成しないので、組立不良に起因するファンとファンモータユニットとの軸ズレが防止される。
【００１１】
第４発明に係る空調室内機は、第１発明に係る空調室内機であり、ファンモータユニットが、回転子と、固定子と、固定子ハウジングとを有している。回転子は、ファンの回転軸に固定され磁力の作用で回転する。固定子は、回転軸を支持し回転子に磁力を作用させる。固定子ハウジングは、内側に固定子を収納し、外側が支持枠に支持される。３つの位置決め部は、固定子ハウジングの外周に設けられている。
【００１２】
この空調室内機では、ファンを磁力で回転させる構造であるので、ファンの回転軸とファンモータユニットとを機械的に連結する必要がない。このため、組立が簡単になる。
【００１３】
第５発明に係る空調室内機は、第４発明に係る空調室内機であり、固定子ハウジングが、固定子ケースと固定子カバーから成る。固定子ケースは、両端が開口した筒状を成し内側に固定子を収納する。固定子カバーは、固定子ケースに収納された固定子の一端を覆う。そして、３つの位置決め部が、固定子ケース上に配置されている。
【００１４】
この空調室内機では、３つの位置決め部が固定子ケースに集積されているので、固定子ケースを支持枠に取付けるだけの単純作業で位置決めが完成する。このため、作業性が良くなる。
【００１５】
第６発明に係る空調室内機は、第５発明に係る空調室内機であって、固定子と固定子カバーとが、固定子ケースに対して軸方向に着脱される。
【００１６】
この空調室内機では、固定子ケースが支持枠に支持されたままの状態で、固定子と固定子カバーが固定子ケースから着脱されることが可能となる。このため、固定子が故障したときのメンテナンス作業が容易になる。
【００１７】
第７発明に係る空調室内機は、第５発明に係る空調室内機であって、固定子ケースが、固定子カバーで覆われる側の端部の外周面上に爪穴を有し、固定子カバーが、固定子ケースの軸とほぼ並行に延びる片持ち梁状の連結爪を有する。固定子カバーを固定子ケースに軸方向に沿って挿入したとき、爪穴と連結爪とが互いに引っ掛かり合う。
【００１８】
この空調室内機では、固定子と固定子カバーとを固定子ケースから軸方向に挿入又は分離することができる。このため、工具を使用することなく固定子カバーを外すことができるので、組立作業、メンテナンス作業が容易になる。
【００１９】
第８発明に係る空調室内機は、第５発明に係る空調室内機であって、外周保持板をさらに備えている。外周保持板は、固定子ケースの外周面を、支持枠とで挟むよう保持する。固定子ケースの外周面には、外周面から所定高さだけ隆起した凸壁が外周面に沿って設けられており、凸壁が、固定子ケースと支持枠との間の隙間、および固定子ケースと外周保持板との隙間を塞いでいる。
【００２０】
この空調室内機では、ファン回転時に発生する空気流が、固定子ケースと支持枠との間の隙間、および固定子ケースと外周保持板との隙間を通らない。このため、空気流の通過音が発生しない。
【発明の効果】
【００２１】
第１発明に係る空調室内機では、ファンモータユニットの姿勢を歪める要因がなく、ファンの回転軸方向、水平軸方向および鉛直軸方向の位置ずれが抑制される。このため、ファンとファンモータユニットとの同軸度の精度が上がり、作業性も向上する。
【００２２】
第２発明に係る空調室内機では、１つの位置決め部がネジ止めされても、他の２つの位置決め部が固定されていないので、ネジ止め時に発生する応力が緩和され易い。このため、応力による変形、位置ずれが抑制される。
【００２３】
第３発明に係る空調室内機では、他の２つの位置決め部が、対応する他の２つの差込部に正確に差込まれなければ、穴付位置決め部が柱状差込部に差込まれない。このため、組立不良に起因するファンとファンモータユニットとの軸ズレが防止される。
【００２４】
第４発明に係る空調室内機では、ファンを磁力で回転させる構造であるので、ファンの回転軸とファンモータユニットとを機械的に連結する必要がない。このため、組立が簡単になる。
【００２５】
第５発明に係る空調室内機では、３つの位置決め部を固定子ケースに集積しているので、固定子ケースを支持枠に取付けるだけの単純作業で位置決めが完成する。このため、作業性が良くなる。
【００２６】
第６発明に係る空調室内機では、固定子ケースが支持枠に支持されたままの状態で、固定子と固定子カバーが固定子ケースから着脱されることが可能となる。このため、固定子が故障したときのメンテナンス作業が容易になる。
【００２７】
第７発明に係る空調室内機では、固定子と固定子カバーとを固定子ケースから軸方向に挿入又は分離することができる。このため、工具を使用することなく固定子カバーを外すことができるので、組立作業、メンテナンス作業が容易になる。
【００２８】
第８発明に係る空調室内機では、ファン回転時に発生する空気流が、固定子ケースと支持枠との間の隙間、および固定子ケースと外周保持板との隙間を通らない。このため、空気流の通過音が発生しない。
【発明を実施するための最良の形態】
【００２９】
＜空気調和装置の全体構成＞
図１は、空気調和装置の外観図である。空気調和装置１は、調和された空気を室内に供給するための装置であり、室内の壁面などに取付けられる空調室内機２（これ以降、室内機２とよぶ）と、室外に設置される空調室外機３（これ以降、室外機３とよぶ）とを備えている。室内機２と室外機３とは、冷媒配管４によって結ばれており冷媒の流通が可能である。
【００３０】
＜空気調和装置の冷媒回路の概略構成＞
図２は、空気調和装置の冷媒回路の構成図である。冷媒回路は、アキュムレータ３１、圧縮機３２、四路切換弁３３、室外熱交換器３０、電動膨張弁３４および室内熱交換器５０で形成されている。
【００３１】
室内熱交換器５０は、室内機２内に配置されており、室内空気との間で熱交換を行う。また、室内機２には、ファン７１と室内ファンモータユニット７２とが設けられている。ファン７１は、室内空気を吸い込み室内熱交換器５０で熱交換された空気を室内に排出する。室内ファンモータユニット７２は、ファン７１を回転させる。
【００３２】
アキュムレータ３１、圧縮機３２、四路切換弁３３、室外熱交換器３０および電動膨張弁３４は室外機３内に配置されている。アキュムレータ３１は、圧縮機３２の吸入側に接続され、四路切換弁３３は、圧縮機３２の吐出側に接続されている。
【００３３】
また、室外機３には、プロペラファン３８と室外ファンモータユニット３９とが設けられている。プロペラファン３８は、室外熱交換器３０で熱交換された空気を外部に排出する。室外ファンモータユニット３９は、プロペラファン３８を回転させる。
【００３４】
＜室内機の構成＞
図３は、空気調和装置の室内機の右側面断面図である。
【００３５】
（上部ケーシング）
上部ケーシング６は、室内機２の上部を覆っている。この上部ケーシング６には、吸込口６０，６１が設けられている。室内熱交換器５０は、ファン７１の円周面に対向して配置されており、ファン７１の前方、上方および後方を取り囲むように取付けられている。室内熱交換器５０では、ファン７１を回転させることで、吸込口６０，６１から吸い込まれた空気と、冷媒との間で熱交換が行われている。
【００３６】
（下部ケーシング）
下部ケーシング７０は、外面部７９、支持枠７８等によって構成されている。外面部７９は、正面視において室内機２の外面として視野に現れる部分である。また、外面部７９には、室内機２の長手方向に沿う開口からなる吹出口７４１が設けられている。図３に示すように、吹出口７４１は、ファン７１が収納された内部空間に連通している。この吹出口７４１から、ファン７１によって生成された空気流が室内へと吹き出される。また、吹出口７４１には、吹き出される空気流を案内する水平フラップ７４２が設けられている。水平フラップ７４２は、室内機２の長手方向に平行な軸を中心に回動自在に設けられている。この水平フラップ７４２は、フラップモータ（図示せず）によって回転駆動され、吹出口７４１を開閉することができる。
【００３７】
（送風ユニット）
図４は、送風ユニットの概略平面図である。送風ユニット８は、ファン７１と、ファン７１を回転させるための室内ファンモータユニット７２とを有している。ファン７１は、ＡＳ樹脂などの樹脂材料で、長細い円筒形状に形成されており、長軸が水平になるように配置される。
【００３８】
（ファン）
図５は、支持枠に組立てられたファン及び室内ファンモータユニットの断面図である。また、ファン７１は、エンドプレート７１０，７１１と、第１シャフト７１２と、第２シャフト７１３と、羽部７１４とを有している。エンドプレート７１０，７１１は、羽部７１４の両側に設けられている。エンドプレート７１０は、ファン７１と後述の回転子７１９とを連結するために、回転子７１９と一体に形成されている。第１シャフト７１２はエンドプレート７１０の回転軸線上に配置され、エンドプレート７１０に連結されている。第２シャフト７１３はエンドプレート７１１の回転軸線上に配置され、エンドプレート７１１に連結されている。これら第１シャフト７１２と第２シャフト７１３とは、ファン７１が回転する際の回転軸となる。
【００３９】
（室内ファンモータユニット）
室内ファンモータユニット７２は、アウターロータ型のモータであり、回転子７１９と固定子組立体７２０とを有している。
【００４０】
回転子７１９は、微小な磁石粒を含む樹脂材料により形成されており、固定子組立体７２０の固定子７２１から発生する磁力により回転する。なお、回転子７１９は、固定子７２１の径方向外側に配置されている。
【００４１】
図６は、固定子組立体の分解斜視図である。図６に示すように、固定子組立体７２０は、固定子７２１と、固定子ハウジング７３１と、防振ゴム７７と、固定子軸受７５とから成る。固定子７２１は、軸方向に突出する円柱部７２２と、円柱部７２２の径方向外側に突出した突出部７２３とを有する。
【００４２】
円柱部７２２は、磁界を発生させるための鉄心（図示せず）やコイル（図示せず）などを収納しており、回転子７１９の内周面と一定の隙間を保って配置される（図５参照）。突出部７２３には、防振ゴム７７が装着される。固定子７２１は、中央に軸方向に貫通する軸受穴７２４を有している。
【００４３】
図６に示すように、固定子ハウジング７３１は、固定子ケース７３２と固定子カバー７３９とから成る。固定子ケース７３２は、円筒部７３３と円筒部７３４とを有する。また、図５で示すように、円筒部７３３内には、固定子７２１の円柱部７２２が配置されており、その円柱部７２２の外周面と円筒部７３３の内周面との間には所定の空間７３３ａが確保されている。この空間７３３ａには、回転子７１９が差し込まれるが、回転子７１９の外周面と円筒部７３３の内周面とは一定の隙間が確保されている。
【００４４】
固定子カバー７３９は、中央に確認穴７３９ａを有する。確認穴７３９ａは、固定子７２１の軸受穴７２４よりも内径が大きい。このため、固定子軸受７５が、固定子７２１の軸受穴７２４へ挿入されたとき、固定子軸受７５が、軸受穴７２４に正確に嵌合しているか否かが、外側から確認される。
【００４５】
（軸受）
図５に示すように、固定子軸受７５は、ファン７１の第１シャフト７１２を支持する部材であり、軸受部７５１と軸受保持部７５２とから成る。
【００４６】
軸受部７５１は、合成樹脂で形成されており、固定子７２１のほぼ中央部に配置される。この軸受部７５１は、ファン７１が回転軸方向に移動できるように第１シャフト７１２を軸支している。軸受保持部７５２は、ゴム材料で円筒形状に形成されており、ファン７１の回転による軸受部７５１の微小振動を抑制するため軸受部７５１を包み込むように支持している。
【００４７】
ファン軸受７６は、ファン７１の第２シャフト７１３を支持する軸受であり、軸受部７６１と軸受保持部７６２とから成る。
【００４８】
軸受部７６１は、合成樹脂で形成されており、ファン７１のエンドプレート７１１と対向する支持枠７８の一部に設けられる。この軸受部７６１は、ファン７１が回転軸方向に移動できるように第２シャフト７１３を軸支している。軸受保持部７６２は、ゴム材料で円筒形状に形成されており、ファン７１の回転による軸受部７６１の微小振動を抑制するために軸受部７６１を包み込むように支持している。
【００４９】
＜固定子組立体の組立＞
ここでは、図６を参照しながら固定子組立体７２０の組立方法を説明する。先ず、作業者は、固定子７２１の３つの突出部７２３に、防振ゴム７７の振動吸収体７７１，７７２，７７３を装着する。
【００５０】
次に、作業者は、固定子７２１を固定子ケース７３２内の円筒部７３４側から円筒部７３３側に向かって挿入する。このとき、振動吸収体７７１，７７２，７７３は、円筒部７３４の仕切７３４ａに沿うように位置決めされ、振動吸収体７７１，７７２，７７３が、固定子ケース７３２の段差７３５に当るまで挿入される。
【００５１】
次に、作業者は、固定子カバー７３９を固定子ケース７３２の円筒部７３４側から固定子ケース７３２の内部に向かって挿入する。このとき、固定子カバー７３９の連結爪７３９ｄ，７３９ｅは、固定子ケース７３２の爪穴７３２ｄ，７３２ｅに嵌るところまで挿入される。
【００５２】
次に、作業者は、固定子軸受７５を固定子７２１の円柱部７２２側から軸受穴７２４内部に向かって挿入する。なお、固定子軸受７５が軸受穴７２４に確実に挿入されたか否かを確認するため、作業者は、固定子カバー７３９の確認穴７３９ａから、軸受穴７２４に固定子軸受７５が正確に嵌合していることを目視する。
【００５３】
＜固定子組立体の支持枠への位置決め＞
図７は、室内ファンモータユニットおよびファンの一部分の斜視図であり、図８は、送風ユニットが支持枠に組立てられる状態を示す斜視図である。固定子組立体７２０は、固定子ケース７３２によって支持枠７８の外周保持部７８８へ位置決めされる。そのため、固定子ケース７３２は、外周面上に位置決め部としての、リング７３６、爪７３７および突起７３８を有する。（図７参照）
リング７３６は、穴付位置決め部であり、固定子ケース７３２の円筒部７３４の径方向外側へ突出し、円筒部７３４の接線方向に貫通する穴を有している。爪７３７は、爪付位置決め部であり、略Ｃ字形状を成し、円筒部７３４の外周面から径方向外側へ突出している。突起７３８は、凸状位置決め部であり、円筒部７３４の外周面から径方向外側へ突出している。
【００５４】
支持枠７８の外周保持部７８８は、前述のリング７３６、爪７３７および突起７３８が差し込まれる差込部として、円柱状突起７８２、スリット７８３および穴７８４を有する。（図８参照）
円柱状突起７８２は、柱状差込部であり前述のリング７３６が差し込まれる。スリット７８３は、スリット状差込部であり前述の爪７３７が差し込まれる。穴７８４は、前述の突起７３８が差し込まれる。なお、位置決めの方法として、作業者は、爪７３７および突起７３８をスリット７８３および穴７８４に位置決めした後、固定子ケース７３２を円周方向にわずかに回転させ、リング７３６を円柱状突起７８２に差し込む。
【００５５】
支持枠７８は、ファン７１の羽部７１４の背面側を覆う背面板７８６と、ファン７１の羽部７１４の下方を覆う下方板７８７とが略Ｌ字状に連結された構造体である。前述の外周保持部７８８は、支持枠７８のコーナーに形成されており、固定子ケース７３２外周のほぼ半分を保持する。
【００５６】
固定子ケース７３２が、リング７３６、爪７３７および突起７３８によって外周保持部７８８に位置決めされた後、外周保持板８１が、露出している固定子ケース７３２外周を覆うように支持枠７８へ取付けられる。取付けられた外周保持板８１は、ネジ８１１で支持枠７８に固定されるが、そのネジ８１１は、リング７３６が差し込まれた円柱状突起７８２に締結される。
【００５７】
固定子ケース７３２の外周面には、所定高さだけ隆起した凸壁７３２ａが、ほぼ全周にわたって設けられている。凸壁７３２ａは、固定子ケース７３２が外周保持部７８８と外周保持板８１とで囲まれることによって形成された隙間を塞ぐという役割があり、これによって、ファン７１の回転時に発生する空気流が、その隙間を通過できなくなる。その結果、空気流の通過音が抑制される。
【００５８】
＜室内ファンモータユニットの取り外し＞
故障等によって、作業者が、室内ファンモータユニット７２を交換しなければならない場合、先ず、固定子ケース７３２から固定子カバー７３９を外し、次に、固定子７２１を軸方向に抜き取る。このように、外周保持板８１を付けたままの状態で、固定子７２１を外すことができるので、作業性が良い。
【００５９】
＜特徴＞
（１）
この室内機２では、室内ファンモータユニット７２の３つの位置決め部７３６，７３７，７３８がそれぞれ支持枠７８の３つの差込部７８２，７８３，７８４に差し込まれることによって位置決めされるので、室内ファンモータユニット７２の姿勢を歪める要因がなく、ファン７１の回転軸方向、水平軸方向および鉛直軸方向の位置ずれが抑制される。このため、ファンとファンモータユニットとの同軸度の精度が上がり、作業性も向上する。
（２）
この室内機２では、３つの位置決め部７３６，７３７，７３８の内の１つであるリング７３６が、３つの差込部７８２，７８３，７８４の内の１つである円柱状突起７８２にネジ止めされる。このため、リング７３６がネジ止めされても、他の２つの位置決め部７３７，７３８が固定されていないので、ネジ止め時に発生する応力が緩和され、応力による変形、位置ずれが抑制される。
また、リング７３６を除く２つの位置決め部が、円柱状突起７８２を除く２つの差込部に差込まれた後に、リング７３６が円柱状突起７８２に差し込まれる。このため、リング７３６が円柱状突起７８２に差込まれるまで全ての位置決めが完成しないので、組立不良に起因するファン、ファンモータユニットの軸ズレが防止される。
（３）
この室内機２では、ファン７１を磁力で回転させる構造であるので、ファン７１の第１シャフト７１２と室内ファンモータユニット７２とを機械的に連結する必要がなく、組立が簡単になる。また、３つの位置決め部７３６，７３７，７３８が室内ファンモータユニット７２の固定子ケース７３２に集積されているので、固定子ケース７３２を支持枠７８に取付けるだけの単純作業で位置決めが完成し、作業性が良い。
（４）
この室内機２では、固定子７２１と固定子カバー７３９とを固定子ケース７３２から軸方向に挿入又は分離することができる。このため、工具を使用することなく固定子カバー７３９、固定子７２１を外すことができるので、組立作業、メンテナンス作業が容易になる。
（５）
この室内機２では、固定子ケース７３２の凸壁７３２ａが、固定子ケース７３２と支持枠７８との間の隙間、および固定子ケース７３２と外周保持板８１との隙間を塞いでいるので、ファン７１の回転時に発生する空気流が、固定子ケース７３２と支持枠７８との間の隙間、および固定子ケース７３２と外周保持板８１との隙間を通らない。このため、空気流の通過音が発生しない。
【産業上の利用可能性】
【００６０】
以上のように、本発明は、室内ファンモータユニットの位置決めが容易で、ファンとの軸芯合わせの精度が高く、ファンと室内ファンモータユニットとをひとつの支持枠に支持させるタイプの室内機に有用である。
【図面の簡単な説明】
【００６１】
【図１】空気調和装置の外観図
【図２】空気調和装置の冷媒回路の構成図
【図３】空気調和装置の室内機の右側面断面図
【図４】送風ユニットの概略平面図
【図５】支持枠に組立てられたファン及び室内ファンモータユニットの断面図
【図６】固定子組立体の分解斜視図
【図７】室内ファンモータユニットおよびファンの一部分の斜視図
【図８】送風ユニットが支持枠に組立てられる状態を示す斜視図
【符号の説明】
【００６２】
２  室内機（空調室内機）
５０  室内熱交換器
７１  ファン
７２  室内ファンモータユニット
７８  支持枠
８１  外周保持板
７１２  第１シャフト
７１９  回転子
７２１  固定子
７３１  固定子ハウジング
７３２  固定子ケース
７３２ａ  凸壁
７３２ｄ，７３２ｅ  爪穴
７３９  固定子カバー
７３９ｄ，７３９ｅ  連結爪
７３６  リング（穴付位置決め部）
７３７  爪（位置決め部）
７３８  突起（位置決め部）
７８２  円柱状突起（柱状差込部）
７８３  スリット（差込部）
７８４  穴（差込部）
【図１】
2008089196.tif 000003
【図２】
2008089196.tif 000004
【図３】
2008089196.tif 000005
【図４】
2008089196.tif 000006
【図５】
2008089196.tif 000007
【図６】
2008089196.tif 000008
【図７】
2008089196.tif 000009
【図８】
2008089196.tif 000010